(57)【特許請求の範囲】
【請求項１】
開口部枠と、建具枠とを備え、
建具枠は、上枠と下枠と縦枠からなり、
開口部枠は、ベース材を有し、ベース材は、室内側端部に下枠を突き当てる立上り壁を有していて、立上り壁が、室内側に仕上げる土間との仕切となるものであると共に、立上り壁の室外側に下枠の支持部を有し、支持部より室外側に位置する固定部において地面に固定してあり、下枠は、ベース材の固定部よりも室外側に位置する接地部において地面に当接しており、ベース材の固定部よりも室内側においてベース材の支持部に載置して上からネジ止めしてあることを特徴とする開口部建材。
【発明の詳細な説明】
【技術分野】
【０００１】
本発明は、開口部建材に関する。
【背景技術】
【０００２】
従来の開口部建材では、下枠を直接地面にコンクリートビスで固定していた。そのため、室内側を下枠高さまで土間仕上げとした場合、枠の交換が必要な際に土間を斫る必要があり容易には取り外せないので、メンテナンス性が良いものが求められていた。
【先行技術文献】
【非特許文献】
【０００３】
【非特許文献１】「晴れもよう３（土間仕様）  施工要領書（HZ0202R）」三協立山株式会社、2016年12月、p.93-97
【発明の概要】
【発明が解決しようとする課題】
【０００４】
本発明は上記課題に鑑み、施工性及びメンテナンス性に優れる開口部建材を提供することを目的とする。
【課題を解決するための手段】
【０００５】
本発明の開口部建材は、開口部枠と、建具枠とを備え、建具枠は、上枠と下枠と縦枠からなり、開口部枠は、ベース材を有し、ベース材は、室内側端部に下枠を突き当てる立上り壁を有していて、立上り壁が、室内側に仕上げる土間との仕切となるものであると共に、立上り壁の室外側に下枠の支持部を有し、支持部より室外側に位置する固定部において地面に固定してあり、下枠は、ベース材の固定部よりも室外側に位置する接地部において地面に当接しており、ベース材の固定部よりも室内側においてベース材の支持部に載置して上からネジ止めしてあることを特徴とする。
【発明の効果】
【０００６】
本発明によれば、地面に固定されたベース材によって地面と下枠の縁を切り、下枠をベース材に対して上からネジで固定する構成であるので、立上り壁の室内側を土間仕上げした場合にも、土間を斫ることなく建具枠を開口部枠から外すことができるので、メンテナンス性が良い。また、建具枠の取り付け時には、建具枠の下枠を立上り壁に突き当てて位置決めしベース材に載置してネジ止めするだけでよく、施工性が良い。
【図面の簡単な説明】
【０００７】
【図１】（ａ）は図４のＣの拡大図であり、（ｂ）は図４のＤの拡大図である。
【図２】本発明の開口部建材を備える簡易構造物の（ａ）は側面図、（ｂ）は正面図である。
【図３】図２のＢ−Ｂ線断面における、建具枠取付け前の状態を示す概略図である。
【図４】図２のＡ−Ａ線断面図である。
【図５】図２のＡ−Ａ線断面図であり、施工手順を示す図である。
【図６】図２のＢ−Ｂ線断面図であり、施工手順を示す図である。
【図７】他の実施形態例を示す断面図である。
【発明を実施するための形態】
【０００８】
以下、本発明の実施の形態を図面に基づいて説明する。本発明の開口部建材の使用場所は特に限定されるものではないが、ここでは建物の外壁に沿って設置されるテラス囲いの場合を示す。簡易構造物Ｙは、建物の外壁Ｘに沿って設置されるテラス囲いである。なお、以下の説明において左右方向とは図２（ｂ）における左右方向を示すものとする。本簡易構造物Ｙは、図１乃至及び図４に示すように、建物の外壁Ｘに左右一対の躯体方立１１，１１が取付けられ、屋外側に２本の柱２１，２１が地面Ｇから立設され、柱２１，２１の上端に雨樋を備えた桁２２が架設してあり、躯体方立１１と桁２２の間に腕木１２が取付けてある。左右の柱２１，２１間の下部及び、柱２１と躯体方立１１の間の下部には、ベース材３０，３０，３０が取付けられている。
【０００９】
桁２２とベース材３０と左右の柱２１，２１間の前側開口部Ｏ及び、腕木１２とベース材３０と柱２１と躯体方立１１間の側面開口部には、引違い戸が納められている。以下、前側開口部Ｏに適用した本発明の開口部建材について説明する。
【００１０】
前側開口部（開口部枠）Ｏは、桁２２と、ベース材３０と、左右の柱２１，２１から構成されていて、４枚の障子５０を備えた引き違い戸Ｄが納められている。
【００１１】
桁２２は、室内側見付面の下端に垂下片２２ａを有していて、垂下片２２ａは、その室外側面において、引き違い戸Ｄの上枠６１の室内側見付面の上端部に当接している。また、桁２２の垂下片２２ａよりも室外側の下端面は略面一であり、前側開口部Ｏに対し引き違い戸Ｄの建具枠６０を水平方向に挿入する際に、桁２２の下面の室外側に障害となるものが存在しない。
【００１２】
ベース材３０は、前側開口部Ｏを構成する部材であり、引き違い戸Ｄの建具枠６０の下枠７０を地面Ｇに固定するために、両者間に介在するものである。ベース材３０は、室内側端部に長手方向にわたって下枠７０を水平方向に突き当てるための立上り壁３１を有していて、立上り壁３１の室外側に長手方向にわたって下枠７０の支持部３２を有し、支持部３２よりも室外側の固定部３３において地面Ｇにネジ止めされている。ベース材３０よりも室内側は、下枠７０の室内側見付面の上端高さまでコンクリートで土間Ｆ仕上げしてある。
以下、ベース材３０について詳説する。ベース材３０は、前壁３４と、後壁３５と、下枠７０の支持部３２と、接地部３６，３７，３８と、水平部３９と、立上り壁３１と、シール受け部４０から構成されている。
前壁３４および後壁３５は、ベース材３０の長手方向にわたって略鉛直に設けられており、前壁３４の上端と後壁３５の上部の間には、支持部３２が略水平に設けられている。支持部３２には、下枠７０をネジ止めするための孔が左右方向に間隔を空けて複数設けられている。
前壁３４は、その下端の接地部３７において地面Ｇに当接している。
固定部３３は、前壁３４の下部から地面Ｇと間隔を保って室外側へ略水平に延びて設けられていて、固定部３３の下面から下方に伸びた接地部３６の下端において地面と当接しており、接地部３６よりも室内側において、地面Ｇに上からネジ止めされている。
シール受け部４０は、ベース材３０の長手方向にわたって後壁３５の下端から室外側下方へと延伸して形成され、室内側へ向けて開口した凹部である。
接地部３８は、シール受け部４０の下端から室外側へ水平方向に延伸して設けられていて、地面Ｇに当接している。
水平部３９は、後壁３５の上端から室内側に略水平に延伸している。
立上り壁３１は、水平部３９の室内側端部から略鉛直上方へ延びて設けられていて、建具枠６０の下枠７０の室内側見付面に当接している。立上り壁３１の高さは、下枠７０の見付面の高さと略同じである。
【００１３】
引き違い戸Ｄは、建具枠６０と、障子５０から構成されており、建具枠６０は、上枠６１と、下枠７０と、左右の縦枠６２，６２によって四方を枠組みされていて、その枠内に引き違いに設けられた２枚の障子５０，５０が、左右に２対納めてあり、内側の2枚の障子５０，５０が略中央で召し合わせてある。
上枠６１は、室内側見付面の上端部において、桁２２の室内側見付面下端に設けられた垂下片２２ａに当接している。
縦枠６２は、室外側端部に有する当接片６２ａの室内側面において、柱２１の室外側見付面に当接している。また、縦枠６２の当接片６２ａよりも室内側には、前側開口部Ｏに対し建具枠６０を水平方向に挿入する際に障害となるものが存在しない。
下枠７０は、室外側の接地部７３，７４，７５において地面Ｇに当接しており、室内側の固定部７２においてベース材３０の支持部３２に上からネジ止めしてある。
以下、下枠７０について詳説する。下枠７０は長手方向にわたって、室外側に接地部７３，７４，７５を有し、室内側に後壁７１及び固定部７２を有する。後壁７１は、下枠７０の室内側端部において略鉛直方向に立ち上がって設けられており、ベース材３０の立上り壁３１の室外側面に当接している。固定部７２は、後壁７１の下端部から室内側へ延びて設けられていて、固定部７２の下端は、室内側と室外側の２箇所においてベース材３０の支持部３２に当接している。そして、固定部７２は、ベース材３０の支持部３２に上からネジ止めされている。
【００１４】
図７には、本発明の他の実施形態例を示す。基本構成は前述の実施形態例と同じであるが、以下の点で相違する。
ベース材３０は、地面でなくデッキ材８０に固定されている。また、シール受け部４０には、止水の為のシール材が充填されている。立上り壁３１は、後壁３５の上端から上方に伸びて形成されており、その高さは、下枠７０の室内側見付面の高さよりも低い。
下枠７０は、固定部７２の室内側下端に設けられた当接片７７の室内側面において、ベース材３０の立上り壁３１の室外側面に当接している。また、下枠７０の接地部７３の数は１箇所のみである。
そして、下枠７０、ベース材３０の立上り壁３１、及び後壁３５それぞれの室内側見付面は略面一である。
【００１５】
次に、本発明の開口部建材における、建具枠６０の取付け方法について図５及び図６を用いて説明する。
まず、前側開口部Ｏに対し、建具枠６０を室外側から水平方向に挿入し、ベース材３０上に載置する。このとき、前側開口部Ｏに対し建具枠６０が適正な位置まで挿入されると、下枠７０の室内側見付面はベース材３０の立上り壁３１に当接し、上枠６１の室内側見付面の上端部は桁２２の垂下片２２ａに当接し、縦枠６２の室外側端部の当接片６２ａは柱２１の室外側見付面に当接するので、建具枠６０をそれ以上室内側へ挿入することはできない。次に、上枠６１を桁２２に下からネジ止めし、下枠７０の固定部７２をベース材３０の支持部３２に上からネジ止めする。その後、左右の縦枠６２、６２を柱２１、２１に水平方向にネジ止めする。以上で建具枠６０の固定が完了する。
そして、ベース材３０よりも室内側を土間仕上げとする場合は、下枠７０の室内側見付面の上端高さまでコンクリートによる土間仕上げ処理を行う。ベース材３０よりも室内側を土間仕上げとしない場合は、ベース材３０と地面Ｇの境界の止水のため、シール受け部４０にシール材を充填する。なお、土間仕上げの場合は土間Ｆのコンクリートによる止水効果が得られるため、シール材の充填は不要である。そして、土間仕上げ作業及びシール材の充填作業は、ベース材３０を地面Ｇに固定した後であれば、建具枠６０を取付ける前でも後でも実施可能である。以上で建具枠６０の取付けが完了する。
【００１６】
次いで、本発明の開口部建材の構成による作用および効果について説明する。
本発明の開口部建材は、従来のように下枠７０を地面Ｇに直接固定するのではなく、地面Ｇに固定されるベース材３０によって地面Ｇと下枠７０の縁を切り、下枠７０をベース材３０に対して上からネジで固定する構成である。このような構成によれば、立上り壁３１の室内側を土間仕上げとした場合にも、土間を斫ることなくネジを外すだけで建具枠６０を前側開口部Ｏから外すことができるので、メンテナンス性が良い。
そして、前側開口部Ｏに対し建具枠６０を水平方向に挿入して取り付けようとした場合に、桁２２の垂下片２２ａよりも室外側の下端面が面一であり、桁２２の下面の室外側に障害となるものが存在せず、また、縦枠６２の当接片６２ａよりも室内側にも障害となるものが存在しない構成である。したがって、前側開口部Ｏに建具枠６０を室外側から水平方向に挿入し、ベース材３０に載置して上からネジ止めするだけで取り付けることができるので、大型で重量のある建具枠６０を取付ける際にも作業者に負担がかからず、施工性が良い。
【００１７】
また、前側開口部Ｏに対し建具枠６０が水平方向に適正な位置まで挿入されると、下枠７０の室内側見付面はベース材３０の立上り壁３１に当接し、上枠６１の室内側見付面の上端部は桁２２の垂下片２２ａに当接し、縦枠６２の室外側端部の当接片６２ａは柱２１の室外側見付面に当接するため、建具枠６０をそれ以上室内側へ挿入することはできなくなっている。このような構成であるので、作業者は建具枠６０を、下枠７０の室内側見付面、上枠６１の室内側見付面の上端部、及び縦枠６２の当接片６２ａが前側開口部Ｏにそれぞれ当接するまで水平方向に真っ直ぐに挿入するだけで、前側開口部Ｏに対する建具枠６０の位置決めが容易にできる。
【００１８】
そして、ベース材３０の長手方向にわたって、後壁３５の下端にシール受け部４０が設けられているので、ベース材３０よりも室内側を土間仕上げとしない場合にはシール受け部４０にシール材を充填することで、室内側への雨水等の浸入を防ぐ止水効果が得られる。
【００１９】
本発明は、上記の実施形態に限定されない。例えば、本発明はテラス囲い等の簡易構造物に限らず様々な構造物に広く適用可能であり、建具枠は引き違い戸のものに限られず、ＦＩＸ窓等のあらゆる建具枠に適用できる。
【符号の説明】
【００２０】
Ｏ    前側開口部（開口部枠）
３０    ベース材
３１    立上り壁
３２    支持部
６０    建具枠
６１    上枠
６２    縦枠
７０    下枠
７３    接地部
７４    接地部
７５    接地部
７６    接地部
Ｇ    地面
【図１】
0006989435.tif 000002
【図２】
0006989435.tif 000003
【図３】
0006989435.tif 000004
【図４】
0006989435.tif 000005
【図５】
0006989435.tif 000006
【図６】
0006989435.tif 000007
【図７】
0006989435.tif 000008